(57)【要約】  【課題】各種ケーブルの固定が容易であり、把持装置自体の製造コストを低減でき、かつスペースセービングに有効なケーブル把持装置。  【解決手段】  複数のスリット２１、２１を並列して有する第１櫛歯状板材と、同じく複数のスリット３１、３１を並列して有する第２櫛歯状板材とを少なくも部材として構成される。第２櫛歯状板材３のスリット３１、３１を前記第１櫛歯状板材２のスリット２１、２１と平行状態にずらして一体化することにより、それぞれの櫛歯間に、段差４１、４１を有し表裏に貫通する複合スリット４、４を形成して、そのスリット先端の開口部４２、４２からケーブル５を押入し把持可能にした。  【選択図】  図１
2005354859.tif 000002
【特許請求の範囲】
【請求項１】
複数のスリットを並列して有する少なくとも２枚の櫛歯状板材をずらして一体化して段差を有する複合スリットを形成し、その複合スリット先端の開口部からケーブルを押入し把持可能にしたことを特徴とするケーブル把持装置。
【請求項２】
前記ケーブルが光ファイバ心線にテンションメンバを添設した光ファイバケーブルである請求項１に記載のケーブル把持装置。
【請求項３】
前記一体化されるスリットを有する櫛歯状板材のそれぞれが、鋼板材を同一形状の櫛歯状に打ち抜き加工したものである請求項１または２に記載のケーブル把持装置。
【請求項４】
前記一体化した櫛歯状板材には、複合スリット先端の開口部を開閉自在なカバー部材を固定可能に配した請求項３に記載のケーブル把持装置。
【発明の詳細な説明】
【技術分野】
【０００１】
本発明は、光ファイバケーブルあるいは被覆電線ケーブルなどをクランプするためのケーブル把持装置の改良に関する。
【背景技術】
【０００２】
光ファイバケーブル類を接続ボックスに入出線させる際にケーブルをクランプするためのケーブル把持装置としては特許文献１に記載されたようなものが提案されている。
これは、光ファイバ心線にテンションメンバを備えた光ファイバケーブルの把持装置であり、キャップの貫通孔に光ファイバケーブルを挿入した後、台座にキャップを嵌め込むと同時にＵスリット部に光ファイバケーブルを押入することにより、光ファイバケーブルを所定位置に固定するものである。
【特許文献１】特開２００３−６６２４公報：図１、図２、図４を参照。
【０００３】
このようなケーブル把持装置の場合には、樹脂等により成形した光ケーブル固定部にＵスリット部を嵌め込んで構成するものであるが、樹脂等の成形品は多量生産する場合は安価に製作できるが、少量生産の場合は金型費や段取り時間を考慮すると高価なものになってしまうという問題があった。さらに、対象ケーブル個々に把持装置のスペースを確保する必要があるため、把持装置を収容する接続ボックスのコンパクト化が困難であった。
【発明の開示】
【発明が解決しようとする課題】
【０００４】
本発明は、上記の問題点を解決するためになされたものであり、把持装置自体の製造コストを低減でき、かつスペースセービングに有効なケーブル把持装置を提供する。
【課題を解決するための手段】
【０００５】
上記の問題は、複数のスリットを並列して有する少なくとも２枚の櫛歯状板材をずらして一体化して段差を有する複合スリットを形成し、その複合スリット先端の開口部からケーブルを押入し把持可能にしたことを特徴とする本発明のケーブル把持装置によって、解決することができる。
【０００６】
また、本発明は、次の形態に好ましく具体化できる。
１）前記発明において、ケーブルが光ファイバ心線にテンションメンバを添設した光ファイバケーブルである形態。
２）前記いずれかの発明において、一体化されるスリットを有する櫛歯状板材のそれぞれが、鋼板材を同一形状の櫛歯状に打ち抜き加工したものである形態。
３）前記発明において、一体化した鋼板製櫛歯状板材には、複合スリット先端の開口部を開閉自在なカバー部材を固定可能に配した形態。
【発明の効果】
【０００７】
本発明のケーブル把持装置は、複数のスリットを並列した複数の櫛歯状板材をずらして一体化したものであるから、簡単な抜き加工、曲げ加工のみのプレス品で構成できるので少量生産のばあいにも安価に製作できる。さらに、同一の複合スリットに複数本のケーブルを固定できる。また、隣接する各複合スリットにも同様にケーブルを固定できるので、多くのケーブルに対して本発明の一個のケーブル把持装置で対応できるなどの利点がある。
【０００８】
さらに、本発明の好ましい形態によれば、鋼板材を同一形状の櫛歯状に打ち抜き加工した櫛歯状板材を一体化するようにしているので、部品点数を少なくでき、この点からも製造コストが安価になる。また、開口部を開閉自在に覆うカバー部材によってケーブルが上方に抜けることを防止することができるなど、優れた効果がある。よって本発明は、従来の問題点を解消したケーブル把持装置として、その実用的価値はきわめて大なるものがある。
【発明を実施するための最良の形態】
【０００９】
次に、本発明のケーブル把持装置に係る実施形態について、図１〜５を参照しながら説明する。
本発明のケーブル把持装置の特徴とするところは、複数のスリット２１、２１を並列して有する第１櫛歯状板材２と、同じく複数のスリット３１、３１を並列して有する第２櫛歯状板材３とを少なくとも部材として構成される。この少なくとも２枚の櫛歯状板材２、３をずらして一体化して段差４１、４１を有する複合スリット４、４を形成し、そのスリット先端の開口部４２、４２からケーブル５を押入し把持可能にした点にある。
【００１０】
図１〜３において、第１櫛歯状板材２は、複数のスリット２１、２１を並列して有す櫛歯を形成した垂直部２２と、略Ｌ字状脚状をなす水平部２３とからなる。なお、この水平部２３はベース部材（図示せず）に固定するための固定用孔２３ａを設けたり、ベース部材側の突起（図示せず）に係合可能な半円切り欠き２３ｂなどを設けておくのがよい。また、図では、上部の折返し部２４には、後記するカバー部材６のための固定用孔２４ａが設けてある。
【００１１】
また、第２櫛歯状板材３は、第１櫛歯状板材２のスリット２１、２１と同一幅員と間隔を持った複数のスリット３１、３１を有する平板からなり、この第２櫛歯状板材３は、そのスリット３１、３１を前記第１櫛歯状板材２のスリット２１、２１と平行状態にずらして一体化することにより、それぞれの櫛歯間に、段差４１、４１を有し表裏に貫通する複合スリット４、４を形成しているのである。
【００１２】
本発明では、このように、それぞれの櫛歯間に形成された複合スリット４、４には、それぞれ角部４１ａ、４１ａを持った段差４１、４１が設けられているのであるが、そのスリット先端の開口部４２、４２からケーブル５を押入したとき、その段差４１の角部４１ａと、押入されたケーブル５の外皮とが係止することになり、確実な把持状態が実現するのである。このような観点から、対象とするケーブルサイズに応じて、複合スリット４のスリット幅寸法、段差４１の寸法をあらかじめ好ましい値に設定しておくのがよい。
【００１３】
このような好ましい複合スリット４を得るには、各櫛歯状板材２、３が金属の場合には、両者を溶接あるいは接着などで固定し一体化すればよい。そして、溶接位置を調節することによりサイズの異なる数種類のケーブルに対応することが可能となる。さらには、両者を一方を長孔にしてねじ止めすることによって、間隔を調整可能としてもよい。
また、この複合スリットは、一般に対象ケーブルの太さより大きな深さを持った形状に形成できるので、この場合には、ひとつの複合スリットに複数のケーブルを把持させることも可能である。
【００１４】
本発明では、対象のケーブル５として、光ファイバ心線にテンションメンバを添設した光ファイバケーブルが最も好適であるが、これに限定されるものではない。また、本発明の各櫛歯状板材２、３は、その目的からして適度の機械的強度を持つ材料が好ましく、鋼板材を同一形状の櫛歯状に打ち抜き加工したものとすると、製作工数が抑えられてコストが有利なものとなる。
【００１５】
この場合、各櫛歯状板材２、３の板厚は同一である必要はなく、一方を薄板とする、例えば第１櫛歯状板材２によって全体の強度を保持すれば、他方の第２櫛歯状板材３をそれより薄板としても、同様な把持効果が得られ、コスト面でさらに有利になる利点がある。
【００１６】
さらに、本発明では、前記第１櫛歯状板材２には、上部の折返し部２４の固定用孔２４ａには、カバー部材６を回動可能に取り付けて、図２、３に示すように、複合スリット４の先端の開口部４２を開閉することができるようにすると、ケーブルの抜け止めに有効となるので好ましい。
【図面の簡単な説明】
【００１７】
【図１】本発明のケーブル把持装置を説明するための斜視図。
【図２】カバー部材を設けた実施形態を示す斜視図。
【図３】カバー部材を閉じた状態の実施形態を示す斜視図。
【図４】ケーブルを固定した状態の実施形態を示す上面図。
【図５】櫛歯部分の要部の水平断面端面図。
【符号の説明】
【００１８】
２：第１櫛歯状板材、２１：スリット、２２：垂直部、２３：水平部、２３ａ：固定用孔、２３ｂ：半円切り欠き、２４：折返し部、２４ａ：固定用孔
３：第２櫛歯状板材、３１：スリット
４：複合スリット、４１：段差、４１ａ：角部、４２：開口部
５：ケーブル
【図１】
2005354859.tif 000003
【図２】
2005354859.tif 000004
【図３】
2005354859.tif 000005
【図４】
2005354859.tif 000006
【図５】
2005354859.tif 000007